(57)【要約】【課題】継手リンクの着脱が容易で、継手リンクとリンク本体を覆うトップカバーを共用化できるトップカバー付きチェーンの提供。【解決手段】内リンクと外リンクを交互に連結したチェーン本体１１０の端部を継手リンク１２０で連結したチェーンに、トッププレートと一対のサイドプレートよりなるトップカバー１３０を装着したトップカバー付きチェーンにおいて、前記継手リンク１２０が、継手ピン１２１の一端に固着された外プレート１２４と、継手ピン１２１の他端に段差部１２３を備えた嵌合部１２２に挿脱自在に嵌合している継手プレート１２５とで構成されているとともに、前記継手プレート１２５は、前記段差部１２３とトップカバー１３０のサイドプレート内面とで挟持されているトップカバー付きチェーン１００。【選択図】図１
2006008309.tif 000002
【特許請求の範囲】
【請求項１】
内リンクと外リンクを交互に連結したチェーン本体の端部を継手リンクで連結したチェーンに、トッププレートと一対のサイドプレートよりなるトップカバーを装着したトップカバー付きチェーンにおいて、
前記継手リンクが、継手ピンの一端に固着された外プレートと、継手ピンの他端に段差部を備えた嵌合部に挿脱自在に嵌合している継手プレートとで構成されているとともに、前記継手プレートが、前記段差部とトップカバーのサイドプレート内面とで挟持されていることを特徴とするトップカバー付きチェーン。
【請求項２】
前記継手リンクを覆うトップカバーが、チェーン本体を覆うトップカバーとは異なる色に着色されていることを特徴とする請求項１に記載のトップカバー付きチェーン。
【発明の詳細な説明】
【技術分野】
【０００１】
本発明は、搬送用チェーンコンベア等として用いられるローラチェーン等の上面及び両側面をトップカバーで覆ったチェーンに関し、特に、継手リンクの着脱が容易で、継手リンクとチェーン本体を覆うトップカバーとを共用化できるトップカバー付きチェーンに関する。
【背景技術】
【０００２】
従来、ローラチェーン等のチェーンは、その両端を継手リンクで連結してエンドレスチェーンとして搬送用コンベヤ等に利用され、外観上の綺麗さや載置面を大きくして搬送物を載置し易くし、また、搬送物がチェーンと直接接触して傷が付かないように、トッププレートと一対のサイドプレートよりなる合成樹脂製のトップカバーを装着し、チェーンの上面及び両側面を覆うことが行われており、このトップカバーは、チェーンを屈曲自在にするように、チェーン長手方向に沿って、ローラチェーンの各リンクに対応した数で取り付けられ、チェーンの外プレートから突出した連結ピンをサイドプレートに設けた挿通孔に挿入してチェーンに係止されていた。
【０００３】
そして、このようなチェーンに装着するトップカバーについては、チェーンへの装着状態において、トップカバーのトッププレートがチェーンのリンクに支えられるようにして、サイドプレートに設けた挿通孔への連結ピンの挿入代を、カバーの外れ止めのために必要な係止力が得られる程度として、標準品のローラチェーンに使用できるようにしたものもある（特許文献１参照）。
【０００４】
また、チェーン本体との連結および取り外しを容易にするために、継手リンクの継手プレートを継手ピンに固着せずに、継手ピンに着脱自在に嵌め込んだ状態で、図５に示されるような継手ピンに設けた挿通孔に割りピンＰを差し込むか、または、図６に示されるような継手ピンにクリップＣを差し込むことにより継手ピンからの離脱を防止していた。
【０００５】
【特許文献１】特開２００１ー３１５９３６号公報
【発明の開示】
【発明が解決しようとする課題】
【０００６】
しかしながら、このような継手プレートと、継手ピンとを割りピンやクリップ等の係止具で係止して連結したチェーンの場合、トップカバーをチェーンに装着する際に、前記のような係止具が継手プレートの外側に存在するから、チェーン本体に用いているトップカバーとは異なる継手リンク専用のトップカバーを用いなければならないという厄介な問題があった。
【０００７】
また、継手プレートの継手ピンへの取り付け、取り外しに際して、割りピンやクリップで係止されたものでは、取り付け時に、割ピンを割るための先端が鋭利な工具や、クリップを嵌めるためのペンチ等の工具が必要であり、取り外しにも同様の工具が必要なことから、取り付け、取り外が容易に行えない問題があり、部品点数も多くなることからコストが高くなる問題もあった。
【０００８】
そこで、本発明が解決しようとする課題、すなわち、本発明の目的は、継手リンクにおいても、チェーン本体のトップカバーを共用でき、また、継手プレートを継手ピンに係止するための特別の係止具を必要とせずに、継手リンクからの着脱を容易にしたトッププレート付きチェーンを提供することである。
【課題を解決するための手段】
【０００９】
本請求項１に係る発明は、内リンクと外リンクを交互に連結したチェーン本体の端部を継手リンクで連結したチェーンに、トッププレートと一対のサイドプレートよりなるトップカバーを装着したトップカバー付きチェーンにおいて、前記継手リンクが、継手ピンの一端に固着された外プレートと、継手ピンの他端に段差部を備えた嵌合部に挿脱自在に嵌合している継手プレートとで構成されているとともに、前記継手プレートが、前記段差部とトップカバーのサイドプレート内面とで挟持されていることにより、前記課題を解決するものである。
【００１０】
また、本請求項２に係るトップカバー付きチェーンは、前記継手リンクを覆うトップカバーが、チェーン本体を覆うトップカバーとは異なる色に着色されていることにより、前記課題を解決するものである。
【発明の効果】
【００１１】
本発明は、上述したような構成を備えることによって、以下のような特有の効果を奏することができる。
すなわち、本請求項１に係るトップカバー付きチェーンは、継手リンクが、継手ピンの一端に固着された外プレートと、継手ピンの他端に段差部を備えた嵌合部に挿脱自在に嵌合している継手プレートとで構成されているとともに、前記継手プレートが、前記段差部とトップカバーのサイドプレート内面とで挟持されていることにより、トップカバーのサイドプレートが、継手プレート外面に対する係止具として作用し、その作用はトップカバーのチェーンへの装着によって奏するものであるから、割ピンやクリップ等の係止具を必要としない。そのため、継手プレートの外面には、割ピンやクリップ等の障害物は存在しないから、チェーン本体で用いているトップカバーと継手リンクのトップカバーは共用化できる。
【００１２】
このように、トップカバーを共用化でき、割ピンやクリップ等の独立した係止具を必要としないことから、部品点数を削減できるので、トップカバー付きチェーンの製造コストを低減できる。
【００１３】
また、トップカバーのサイドプレートによる継手プレートに対する拘束力は、継手プレートが嵌合部から外部に脱落せず、段差部を越えて内側に進入しない程度の小さな力ですむので、トップカバーのチェーンへの挿脱が容易であり、また、連結したチェーン本体の内側プレートとのクリアランスが適正に確保され、摺動摩耗を防止できる。
【００１４】
さらに、本請求項２に係るトップカバー付きチェーンは、前述したように、本体チェーンのトップカバーが継手リンクにも使用できることから、トップカバーと同じものものを用いた場合には、継手リンクの位置を確認するのは困難であるため、異なる色とすることにより、容易に継手リンクの位置を認識し得るものである。
【発明を実施するための最良の形態】
【００１５】
本発明の実施例を図１〜図５に基づいて説明する。図１は、本発明の実施例であるトップカバー付きチェーンの斜視図であり、図２は、本発明の実施例であるチェーン本体の斜視図であり、図３は、本発明の実施例である継手リンクの斜視図であり、図４は、本発明の実施例であるトップカバーの斜視図である。
【００１６】
まず、本発明の一実施例であるトップカバー付きローラチェーン１００は、図１に示すように、ローラチェーン本体１１０と、ローラチェーン本体１１０の端部を連結する継手リンク１２０及びローラチェーン１１０と継手リンク１２０に装着したトッププレート１３０よりなる。
【００１７】
ローラチェーン本体１１０は、図２に示すように、一対の内プレート１１２の一方を一対のブッシュ１１３に圧入固着し、一対のブッシュ１１３の外周にローラ１１４を回転自在に嵌た後、他方の内プレート１１２を前記一対のブッシュ１１３に圧入固着されて内リンク１１１を構成し、外リンク１１５は、一対の外プレート１１６の一方を一対の連結ピン１１７に圧入固着し、連結ピン１１７を内側リンク１１１のブッシュ１１３に挿通した後、他方の外プレートに圧入固着することにより構成され、連結ピン１１７により内リンク１２１を交互に連結して長尺のローラチェーン本体１１０としている。
【００１８】
また、継手リンク１２０は、図３に示すように、一対の継手ピン１２１に圧入固着された外プレート１２４と、継手プレート１２５からなり、外プレート１２４が固着された継手ピン１２１をローラチェーン本体１１０の端部である内リンク１１１のブッシュ１１３に挿通して内リンク１１１を連結した後、継手プレート１２５を段差部１２３を備えた継手ピン１２１の嵌合部１２２に挿脱可能に嵌合させている。
【００１９】
さらに、各トップカバー１３０は、図４に示すように、上面が平坦なトッププレート１３１と該トッププレートの両側から垂下した一対のサイドプレート１３３よりなり、トッププレート１３１は平坦な上面と、装着状態で隣接するトップカバーの下部に重合する延長部１３２を備え、サイドプレート１３３は、内向きの拘束力を生ずるように、内側に若干傾斜させており、中央部に連結ピン嵌合孔１３４が設けられ、嵌合孔１３４の下部内面には、下方に拡開するテーパー面１３５を備え、ローラチェーンの長手方向の一方の端縁部１３６は連結ピン嵌合孔１３４の軸芯を中心とする凸円弧状にされ、他方の端縁部１３７は前記円弧状の端縁部１３６に対応する凹状の円弧状にされており、図１に示すように、ローラチェーンへの装着時に前後方向に隣り合うトップカバーの凹凸端縁部が嵌合するようにされている。
【００２０】
そして、前記トップカバー１３０を継手リンク１２０で連結したローラチェーン本体１１０に装着する際に、サイドプレート１３３を広げてローラチェーン本体１１０に嵌め込むと、外プレート１１６から突出した連結ピン１１７がサイドプレート１３３の挿入孔１３４に挿入されてローラチェーン本体１１０に係止され、同様に、継手リンク１２０においても、継手プレート１２５から突出した継手ピン１２１もサイドプレート１３３の挿入孔１３４に挿入されて係止されると同時に、サイドプレート１３３の内面は、継手ピン１２１に嵌合している継手プレート１２５の外面に当接し、サイドプレート１３３の内側への拘束力により内側に押しつけられ、継手ピン１２１の段差部１２３により係止され、すなわち、サイドプレート１３３の内面と段差部１２３により狭持される。この際、サイドプレート１３３の継手プレート１２５に対する拘束力は小さく、継手プレート１２５が継手ピン１２１の段差部１２３から内側に進入しないので、チェーン本体１１０の内リンク１１１とが適切なクリアランスとなって、摺動摩耗は防止できる。
【００２１】
以上のように、本発明は、トップカバーの内側への拘束力は小さいためチェーンへの装脱が容易であり、継手リンクの継手ピンから着脱もトップカバーの装着、離脱のみで行なうことができ、また、トップカバーもチェーン本体と共用できるという顕著な効果を奏するものである。
【図面の簡単な説明】
【００２２】
【図１】本実施例のトップカバー付きチェーンの斜視図。
【図２】本実施例のチェーン本体の斜視図。
【図３】本実施例の継手リンクの斜視図。
【図４】本実施例のトップカバーの斜視図。
【図５】従来例の割ピンを用いた継手リンクの斜視図。
【図６】従来例のクリップを用いた継手リンクの斜視図。
【符号の説明】
【００２３】
１００  ・・・トップカバー付きチェーン
１１０  ・・・チェーン本体
１１１  ・・・内リンク
１１２  ・・・内プレート
１１３  ・・・ブッシュ
１１４  ・・・ローラ
１１５  ・・・外リンク
１１６  ・・・外プレート
１１７  ・・・連結ピン
１２０  ・・・継手リンク
１２１  ・・・継手ピン
１２２  ・・・嵌合部
１２３  ・・・段差部
１２４  ・・・外プレート
１２５  ・・・継手プレート
１３０  ・・・トップカバー
１３１  ・・・トッププレート
１３２  ・・・延長部
１３３  ・・・サイドプレート
１３４  ・・・ピン挿入孔
１３５  ・・・テーパー面
１３６  ・・・円弧状端縁部
１３７  ・・・凹状の円弧状端縁部
Ｐ      ・・・割ピンＰ
Ｃ      ・・・クリップ
【図１】
2006008309.tif 000003
【図２】
2006008309.tif 000004
【図３】
2006008309.tif 000005
【図４】
2006008309.tif 000006
【図５】
2006008309.tif 000007
【図６】
2006008309.tif 000008